(57)【要約】      （修正有）【課題】容器本体の貫通孔に容易に取り付け又は取り外しできる気体透過部材および通気性容器を提供する。【解決手段】気体透過部材１は、内部空間Ｓを有する容器本体Ａに形成されて容器本体Ａの外側の空間と前記内部空間Ｓとを連通させる貫通孔Ｃ１に取付可能に構成され、内部空間Ｓの気体を容器本体Ａの外側の空間に透過可能な気体透過シート２と、気体透過シート２を保持し、気体が流通するための気体流通孔３ａを有する保持体３とを備える気体透過部材１であって、保持体３は、容器本体Ａの貫通孔Ｃ１に対して係脱自在に構成される。【選択図】図１
2015167907.tif 000002
【特許請求の範囲】
【請求項１】
内部空間を有する容器本体に形成されて該容器本体の外側の空間と前記内部空間とを連通させる貫通孔に取付可能に構成され、
前記内部空間の気体を容器本体の外側の空間に透過可能な気体透過シートと、
該気体透過シートを保持し、気体が流通するための気体流通孔を有する保持体とを備える気体透過部材であって、
前記保持体は、容器本体の貫通孔に対して係脱自在に構成されることを特徴とする気体透過部材。
【請求項２】
前記保持体は、容器本体の貫通孔に対して螺合可能に構成されていることを特徴とする請求項１に記載の気体透過部材。
【請求項３】
請求項１又２に記載の気体透過部材と、
該気体透過部材の保持体が係脱自在に設けられる貫通孔を有する容器本体とを備えることを特徴とする通気性容器。
【発明の詳細な説明】
【技術分野】
【０００１】
本発明は、気体を透過させる気体透過部材と、該気体透過部材を備える通気性容器とに関する。
【背景技術】
【０００２】
密封された容器内で気体が発生すると、容器の内圧が上昇して容器が破損したり爆発したりする虞がある。例えば、二次電池、電解コンデンサ、電気二重層キャパシタなどのような蓄電素子においては、使用時に、電極が収容された容器内において特定のガスが発生するため、斯かるガスを容器外に排出する通気性容器が採用されている。
【０００３】
例えば、電解コンデンサの通気性容器として、電極や電解液を収容する内部空間を有する容器本体と、気体を透過させる気体透過部材とを備え、該気体透過部材は、容器本体に設けられた貫通孔に取り付けられるものが知られている（特許文献１参照）。
【０００４】
特許文献1に記載の前記気体透過部材は、シート状の透過性ゴムと、該透過性ゴムを貫通孔に対して固定する固定手段とを有してなる。固定手段は、円板材と、該円板材の外周に径方向外向きに延設される縦壁とを有する。また、容器本体の貫通孔は、大径部と、該大径部に軸方向に連通する小径部と、大径部および小径部の内周面同士を連結する段部とを有する。
【０００５】
前記気体透過部材を貫通孔に取り付ける際には、透過性ゴムを貫通孔の大径部から挿入して段部に載置し、固定手段を貫通孔の大径部から挿入して透過性ゴムを押圧固定している。固定手段を大径部に挿入する際には、固定手段の縦壁を大径部の内周面に対し弾性により縮ませて挿入し、縦壁の弾性力が大径部の内周面に作用することによって、固定手段が大径部内に保持されている。
【０００６】
しかしながら、かかる通気性容器では、上記のように気体透過部材の固定手段は、縦壁の弾性力により貫通孔内に保持されるところ、縦壁の弾性力が弱い場合には、固定手段を貫通孔に安定して取り付けた状態に保持することが困難なため、縦壁の弾性力を強くする必要がある。このように縦壁の弾性力を強くすると、固定手段を弾性力に抗して貫通孔に挿入又は貫通孔から取り外すことが容易ではない。かかる点は、上記従来の電解コンデンサのみならず、従来のその他蓄電素子に係る通気性容器の気体透過部材にも共通する点である。
【先行技術文献】
【特許文献】
【０００７】
【特許文献１】特開２００６−１０８１８５号公報
【発明の概要】
【発明が解決しようとする課題】
【０００８】
そこで本発明は、容器本体の貫通孔に容易に取り付け又は取り外しできる気体透過部材および通気性容器を提供することを課題とする。
【課題を解決するための手段】
【０００９】
本発明に係る気体透過部材は、内部空間を有する容器本体に形成されて該容器本体の外側の空間と前記内部空間とを連通させる貫通孔に取付可能に構成され、前記内部空間の気体を容器本体の外側の空間に透過可能な気体透過シートと、該気体透過シートを保持し、気体が流通するための気体流通孔を有する保持体とを備える気体透過部材であって、前記保持体は、容器本体の貫通孔に対して係脱自在に構成されることを特徴とする。
【００１０】
かかる気体透過部材では、保持体が、容器本体の貫通孔に係脱自在に構成されるので、保持体を貫通孔に係脱させることによって、貫通孔に容易に取り付け又は取り外しできる。
【００１１】
また、本発明に係る気体透過部材では、前記保持体は、容器本体の貫通孔に対して螺合可能に構成されることも可能である。
【００１２】
かかる気体透過部材では、保持体を容器本体の貫通孔に螺合させることによって、保持体を貫通孔に極めて容易に取り付け又は取り外しできる。
【００１３】
本発明に係る通気性容器は、前記気体透過部材と、該気体透過部材の保持体が係脱自在に設けられる貫通孔を有する容器本体とを備えることを特徴とする。
【００１４】
かかる通気性容器では、気体透過部材の保持体が容器本体の貫通孔に係脱自在に構成されるので、保持体を貫通孔に係脱させることによって気体透過部材を容器本体に容易に取り付け又は取り外しできる。
【発明の効果】
【００１５】
本発明の気体透過部材および通気性容器によれば、気体透過部材の保持体が容器本体の貫通孔に係脱自在に構成されるので、保持体を貫通孔に係脱させることによって気体透過部材を容器本体に容易に取り付け又は取り外しできる。
【図面の簡単な説明】
【００１６】
【図１】本願発明の一実施形態に係る気体透過部材を備える通気性容器を示した断面図を示す。
【図２】同実施形態に係る気体透過部材の断面図を示す。
【発明を実施するための形態】
【００１７】
以下、本発明の一実施形態について図１と図２を参照しながら説明する。なお、説明の便宜上、図１を基準にして上下方向、左右方向を規定する。
【００１８】
本実施形態に係る通気性容器は、例えば二次電池や電解コンデンサ（アルミ電解コンデンサ等）や電気二重層キャパシタ等の蓄電素子の容器である。図１に示すように、通気性容器Ａ１は、所定部材（例えば電極や電解液）を収容する内部空間Ｓを有して該内部空間Ｓと外部（容器本体の外側の空間）とを連通する貫通孔Ｃ１が貫通してなる容器本体Ａと、前記貫通孔Ｃ１に設けられる気体透過部材１とを備える。
【００１９】
容器本体Ａは、所定部材を収容する内部空間Ｓを有する筐体に貫通孔Ｃ１が貫通してなる。本実施形態の容器本体Ａは、開口部を有し該開口部から所定部材を収容可能な本体部Ｂと、該本体部Ｂの前記開口部を閉塞する容器蓋体Ｃ（閉塞体）とを有する。
【００２０】
本実施形態の本体部Ｂは、有底筒状をなして上面開口しており、具体的には円板状の底壁と該底壁の周縁に立設される側壁とを有して構成される。本実施形態の容器蓋体Ｃは、板状体であり具体的には円板である。容器蓋体Ｃには、厚み方向に貫通する貫通孔Ｃ１が設けられている。貫通孔Ｃ１は、一又は複数の孔である。本実施形態の貫通孔Ｃ１は、円板である容器蓋体Ｃの径方向中央部に上下方向に貫通する一の孔である。この貫通孔Ｃ１には、気体透過部材１を係止するための被係止部Ｄが設けられている。本実施形態の被係止部Ｄは、貫通孔Ｃ１の内周面に軸線（上下方向）に沿って切り欠いて凹設されたネジ溝（例えば、らせん状溝）である。かかる容器蓋体Ｃは、本体部Ｂの上面開口を閉塞するように本体部Ｂに嵌合可能に構成される。
【００２１】
かかる容器本体Ａでは、容器蓋体Ｃが本体部Ｂの開口部に嵌合されることにより、本体部Ｂと容器蓋体Ｃとの内面により確定される内部空間Ｓが形成されており、該内部空間Ｓに所定部材が収容され得る。また容器蓋体Ｃの貫通孔Ｃ１は内部空間Ｓと外部とを連通する孔になっており、該貫通孔Ｃ１に気体透過部材１が設けられている。
【００２２】
気体透過部材１は、該容器本体Ａの内部空間Ｓからの気体を外部に透過させるように構成される。本実施形態の気体透過部材１は、図２に示すように、容器本体Ａの内部空間Ｓの気体を外部に透過させる気体透過シート２と、気体透過シート２を保持する保持体３とを備える。
【００２３】
気体透過シート２としては、特定の気体を選択的に透過させる選択性透過シート２ａや、特定の気体に対して選択性を有さない非選択性透過シート２ｂが用いられる。本実施形態では、複数（具体的には３枚）の気体透過シート２が用いられ、一つが選択性透過シート２ａであり、他の二つが非選択性透過シート２ｂである。
【００２４】
選択性透過シート２ａは、一方の面側から他方の面側へ特定の気体を選択的に透過可能に構成される。選択性透過シート２ａが透過可能な気体としては、特に限定されるものではなく、例えば、水素、二酸化炭素、酸素等のガスが挙げられる。
【００２５】
水素ガスに対する選択性を有する選択性透過シート２ａとしては、例えば、芳香族ポリイミド等の樹脂を含むシート材や、水素透過性金属（バナジウム、バナジウム合金、パラジウム合金、ニオブ、ニオブ合金等）の層を含むシート材から構成されたものが挙げられる。水素透過性金属層を含むシート材としては、水素透過性金属層のみからなるシート材（金属箔）や、樹脂シート等の基材層に金属層が蒸着等されてなるシート材等が挙げられる。二酸化炭素を選択的に透過させる選択性透過シート２ａとしては、シリコーンゴムからなるシート材、ＰＶＡ架橋シート材、ＰＥＧ架橋シート材等から構成されるものが挙げられる。
【００２６】
非選択性透過シート２ｂは、選択性透過シート２ａと重なるように選択性透過シート２ａの少なくとも一方の面側（本実施形態では両面側）に配置される。非選択性透過シート２ｂとしては、重ねられる選択性透過シート２ａの性状等に応じて適宜選択可能であるが、例えば、ポリテトラフルオロエチレン（ＰＴＦＥ）、セラミック、金属、樹脂等からなる多孔質膜等のシート材から構成されるものが挙げられる。特に、ＰＴＦＥからなる多孔質膜は、撥水性が高く、耐熱性、耐薬品性も高いため、非選択性透過シート２ｂを構成するシート材として好ましい。本実施形態の非選択性透過シート２ｂは、ＰＴＦＥからなる多孔質膜のシート材で構成される。
【００２７】
保持体３は、貫通孔Ｃ１の軸方向（又は軸線、中心軸）に沿う形状をなし、気体が流通するための気体流通孔３ａを有する。本実施形態の保持体３は、上下方向に沿う長尺な筒状体（具体的には円筒体）をなす。具体的には、保持体３は、貫通孔Ｃ１の径よりも外径が大きい筒状体である大径部３１と、大径部３１の下端面中央部側から下方に延設され、大径部３１に対して外径が小さく内径が略等しい筒状体である中径部３２と、中径部３２の下端面外周部側から下方に延設され、中径部３２に対して外径が略等しく内径が大きい筒状体である下方部３３と、下方部３３の下端面外周部側から下方に延設され、下方部３３に対して外径が略等しく内径が大きい筒状体である下端部３４とを有する。なお、中径部３２の外径は、貫通孔Ｃ１の径よりも小さい又は略等しい。
【００２８】
ここで、大径部３１と中径部３２との内周面は面一になっている。中径部３２と下方部３３との内周面は、径方向に段差をなして中径部３２の下端面中央部３２ｂ（具体的には環状平面）により連結されている。下方部３３と下端部３４との内周面は、径方向に段差をなして下方部３３の下端面中央部３３ａ（具体的には環状平面）により連結されている。大径部３１と中径部３２と中径部３２と下方部３３とは、各内周面と、中径部３２の下端面中央部３２ｂと、下方部３３の下端面中央部３３ａとを互いに接続（連結）させることにより連続的に内側面を形成しており、該内側面が気体流通孔３ａをなす。
【００２９】
気体流通孔３ａは、内部空間Ｓ側から外部への一方向（軸方向）に気体を流通させる貫通孔である。気体流通孔３ａの軸方向両端部のうち、内部空間Ｓ側の開口は気体流入口３ｂであり、外部側の開口は、気体排出口３ｃである。つまり、気体流通孔３ａは、流入口３ｂ側から排出口３ｃ側へ向かって気体を流通させる流路である。本実施形態の気体流通孔３ａは、保持体３の上面の径方向中央部から下面まで上下方向に貫通する一つの貫通孔である。
【００３０】
かかる気体流通孔３ａは、気体透過シート２を保持可能に構成されており、気体透過シート２が設けられるための孔になっている。本実施形態では、気体流通孔３ａのうち、大径部３１の開口（排出口３ｃ）端に気体透過シート２（具体的には非選択性透過シート２ｂ）が取付可能であり、中径部３２の下端面中央部３２ｂと下方部３３の内周面とに気体透過シート２（具体的には選択性透過シート２ａ）が取付可能であり、下方部３３の下端面中央部３３ａと下端部３４の内周面とに気体透過シート２（具体的には非選択性透過シート２ｂ）が取付可能に構成されている。具体的には、大径部３１の開口端に気体透過シート２（具体的には非選択性透過シート２ｂ）が載置されて接着（具体的には、両面テープやヒートシールを用いて接着、又は溶着）可能であり、中径部３２の下端面中央部３２ｂと下方部３３の内周面とに気体透過シート２（具体的には選択性透過シート２ａ）が接着（具体的には、両面テープやヒートシールを用いて接着、又は溶着）可能であり、下方部３３の下端面中央部３３ａと下端部３４の内周面とに気体透過シート２（具体的には非選択性透過シート２ｂ）が接着（具体的には、両面テープやヒートシールを用いて接着、又は溶着）可能に構成されている。
【００３１】
かかる保持体３を構成する材質としては、特に限定されるものではなく、例えば、ポリブチレンテレフタレート（ＰＢＴ）、アクリロニトリルブタジエンスチレン樹脂（ＡＢＳ樹脂）、熱可塑性エラストマー等の熱可塑性樹脂等が挙げられる。成形が容易である点から熱可塑性樹脂を用いることが好ましい。なお、保持体３を構成する材質は、金属材料として、ステンレス鋼材（ＳＵＳ）、アルミ等で構成されることも可能である。
【００３２】
ここで、保持体３には、貫通孔Ｃ１の被係止部Ｄに着脱自在（係脱自在）に係止される係止部３２ａが設けられている。係止部３２ａは、中径部３２の外周面に軸方向（上下方向）に沿って凸設されるネジ山（例えば、らせん状山）からなるネジ部であり、被係止部Ｄに螺合可能に構成されている。具体的には、係止部３２ａは、貫通孔Ｃ１の被係止部Ｄ（ネジ溝）に螺合して軸方向に移動可能になっている。つまり、係止部３２ａを貫通孔Ｃ１の被係止部Ｄ（ネジ溝）に螺合し、内部空間Ｓ側（下方側）に移動させることにより、気体透過部材１（保持体３）が容器本体Ａ（貫通孔Ｃ１）に取り付けられた取付状態となり、該取付状態で係止部３２ａを外部側（上方側）に移動させることにより、気体透過部材１（保持体３）が容器本体Ａ（貫通孔Ｃ１）から取り外し可能な取外状態となり得る。
【００３３】
なお、本実施形態では、気体透過部材１は、気体透過部材１（保持体３）が容器本体Ａ（貫通孔Ｃ１）に取り付けられた状態で、保持体３の外面と貫通孔Ｃ１の内面との間から外部の異物が混入することを防止するための封止体Ｐを更に有する。封止体Ｐは、保持体３の中径部３２の上端外周面に設けられており、環状の弾性体で構成される。封止体Ｐは、例えばシリコーンゴムやエチレン−プロピレン−ジエンゴム（ＥＰＤＭ）からなる弾性体樹脂のパッキン（オーリング）で構成され得る。
【００３４】
以上の構成からなる通気性容器Ａ１では、本体部Ｂの内部空間Ｓに所定部材を収納し、本体部Ｂの上面開口を閉塞するように本体部Ｂに容器蓋体Ｃが取り付けられ、該容器蓋体Ｃの貫通孔Ｃ１に気体透過部材１が取り付けられている。気体透過部材１の気体流通孔３ａは、内部空間Ｓと外部とを連通しており、気体透過シート２を保持している。具体的には、保持体３の気体流通孔３ａでは、大径部３１の開口端に非選択性透過シート２ｂが載置されて溶着され、中径部３２の下端面中央部３２ｂと下方部３３の内周面とに選択性透過シート２ａが溶着され、下方部３３の下端面中央部３３ａと下端部３４の内周面とに非選択性透過シート２ｂが溶着されている。気体透過シート２は、貫通孔Ｃ１および気体流通孔３ａの軸方向（上下方向）に交差する左右方向に沿って気体流通孔３ａを横断して配置されている。また、各気体透過シート２は、気体流通孔３ａの軸方向に互いに離間して間隔を空けた状態で重なるように配置されており、気体透過シート２間に空間が形成されている。
【００３５】
ここで、気体透過部材１の貫通孔Ｃ１への取り付けは、係止部３２ａと被係止部Ｄとの係止による。具体的には、保持体３を貫通孔Ｃ１に挿通し、係止部３２ａ（ネジ山）を被係止部Ｄ（ネジ溝）に螺合（例えば係止部３２ａを被係止部Ｄ（ネジ溝）に対して右回りに回転）させることで、封止体Ｐ下面が容器蓋体Ｃ上面に当接（押圧）固定される取付位置まで保持体３（係止部３２ａ）を軸方向下方に移動させている。なお、通気性容器Ａ１（気体透過部材１）のメンテナンス等のため、気体透過部材１を貫通孔Ｃ１から取り外す際には、係止部３２ａを被係止部Ｄに対して左回り（前記取付の際の回転と逆向き）に回転させることで、係止部３２ａと被係止部Ｄとの螺合が解除される解除位置まで保持体３（係止部３２ａ）を軸方向上方に移動させる。要するに、係止部３２ａは、被係止部Ｄと螺合し、保持体３が容器本体Ａ（容器蓋体Ｃ外面）に当接固定される取付位置と、被係止部Ｄとの螺合が解除される解除位置とを移動し、係止部３２ａが取付位置にあるとき気体透過部材１（保持体３）が容器本体Ａ（貫通孔Ｃ１）に取り付けられており、係止部３２ａが解除位置にあるとき気体透過部材１（保持体３）が容器本体Ａ（貫通孔Ｃ１）から取り外されている。このように、気体透過部材１は、係止部３２ａと被係止部Ｄとの係脱によって、容器本体Ａ（貫通孔Ｃ１）に容易に取り付け又は容器本体Ａ（貫通孔Ｃ１）から取り外される。
【００３６】
かかる通気性容器Ａ１では、蓄電素子（電極）の通常使用時に通気性容器Ａ１（具体的には、容器本体Ａ）の内部で発生した気体が気体透過部材１の気体透過シート２を通じて外側へ排出可能となっている。具体的には、容器本体Ａ内で気体が発生することによって容器本体Ａの内圧が上昇する。これに伴って、容器本体Ａ内の気体は、気体流通孔３ａ内へ容器蓋体下面側の流入口３ｂから流入する。そして、気体流通孔３ａに流入した気体は、容器蓋体上面側の排出口３ｃ側へ向かって気体流通孔３ａ内を流通する際に、各気体透過シート２を透過する。そして、各気体透過シート２を透過した気体は、気体流通孔３ａの排出口３ｃから通気性容器Ａ１の外側へ排出される。これにより、容器本体Ａの内圧が低下することになる。
【００３７】
以上、本実施形態に係る気体透過部材１および通気性容器Ａ１についてまとめると、本実施形態に係る気体透過部材１は、内部空間Ｓを有する容器本体Ａに形成されて該容器本体Ａの外側の空間と前記内部空間Ｓとを連通させる貫通孔Ｃ１に取付可能に構成され、内部空間Ｓの気体を容器本体Ａの外側の空間に透過可能な気体透過シート２と、該気体透過シート２を保持し、気体が流通するための気体流通孔３ａを有する保持体３とを備える気体透過部材１であって、前記保持体３は、容器本体Ａの貫通孔Ｃ１に対して係脱自在に構成されることを特徴とする。
【００３８】
かかる気体透過部材１では、保持体３が容器本体Ａの貫通孔Ｃ１に係脱自在に構成されるので、保持体３を貫通孔Ｃ１に係脱させることによって、貫通孔Ｃ１に容易に取り付け又は取り外しできる。
【００３９】
また、本実施形態に係る気体透過部材１では、前記保持体３は、容器本体Ａの貫通孔Ｃ１に対して螺合可能に構成される。
【００４０】
かかる気体透過部材１では、保持体３を容器本体Ａの貫通孔Ｃ１に螺合させることによって、保持体３を貫通孔Ｃ１に極めて容易に取り付け又は取り外しできる。
【００４１】
また、本実施形態の気体透過シート２は、ポリテトラフルオロエチレンからなる多孔質膜のシート材を有して構成される。かかる気体透過部材１および通気性容器Ａ１によれば、気体透過シート２がポリテトラフルオロエチレンからなる多孔質膜のシート材で構成されるため、気体透過シート２を所定サイズに成形することが極めて容易にできる。すなわち、かかる気体透過部材１および通気性容器Ａ１によれば、気体透過シート２のサイズを容易に抑制でき気体透過部材１および通気性容器Ａ１を小型化できる。
【００４２】
また、本実施形態の気体透過シート２では、選択性透過シート２ａの両面側に非選択性透過シート２ｂ,２ｂが配置されることで、選択性透過シート２ａが両面側（具体的には、容器本体Ａの内部および外部）から汚染されるのが防止される。つまり、非選択性透過シート２ｂは、選択性透過シート２ａを汚染や損傷から保護する保護シートとして機能することにより、選択性透過シート２ａの質の低下を防止して製品価値を向上できる。
【００４３】
本実施形態に係る通気性容器Ａ１は、前記気体透過部材１と、該気体透過部材１の保持体３が係脱自在に設けられる貫通孔Ｃ１を有する容器本体Ａとを備えることを特徴とする。
【００４４】
かかる通気性容器Ａ１では、気体透過部材１の保持体３が容器本体Ａの貫通孔Ｃ１に係脱自在に構成されるので、保持体３を貫通孔Ｃ１に係脱させることによって気体透過部材１を容器本体Ａに容易に取り付け又は取り外しできる。
【００４５】
要するに、本実施形態の気体透過部材１および通気性容器Ａ１によれば、気体透過部材１の保持体３が容器本体Ａの貫通孔Ｃ１に係脱自在に構成されるので、保持体３を貫通孔Ｃ１に係脱させることによって気体透過部材１を容器本体Ａに容易に取り付け又は取り外しできる。
【００４６】
なお、本発明に係る気体透過部材および通気性容器は、上記実施形態に限定されるものではなく、本発明の要旨を逸脱しない範囲で種々の変更が可能である。
【００４７】
例えば、上記実施形態では、気体透過部材１が封止体Ｐを備える場合について説明したが、これに限らず、気体透過部材１は、封止体Ｐを備えない構成も可能である。この場合、気体透過部材１の容器本体Ａへの取付に際し、保持体３の大径部３１下面が容器蓋体Ｃ上面に当接（押圧）固定される取付位置まで保持体３（係止部３２ａ）を軸方向下方に移動させることとなる。
【００４８】
また、上記実施形態では、気体透過シート２は、保持体３の気体流通孔３ａの開口（排出口３ｃ）端や、気体流通孔３ａの内周面の段差が形成される部位に取り付けられるように構成されているが、これに限定されるものではなく、例えば気体透過シート２は、保持体３を成形（例えば樹脂成形）する際に、気体流通孔３ａに保持されるように保持体３と一体成形されてもよい。
【００４９】
また、上記実施形態では、気体透過シート２として、選択性透過シート２ａと非選択性透過シート２ｂとが用いられているが、これに限定されるものではなく、例えば、選択性透過シート２ａ又は非選択性透過シート２ｂの何れか一方のみが気体透過シート２として一つ又は複数用いられてもよい。
【００５０】
また、上記実施形態の選択性透過シート２ａを構成する素材は、特に限定されないが、通気性容器Ａ１内で発生する気体の種類に応じて選択されることで、特定の気体のみを通気性容器Ａ１の外側へ排出することが可能である。
【００５１】
また、上記実施形態では、係止部３２ａは、凸設されるネジ山であり、被係止部Ｄは、凹設されるネジ溝である場合について説明したが、これに限定されるものではなく、例えば、係止部３２ａは、保持体３の外周面に軸方向に切り欠いて凹設されるネジ溝であり、被係止部Ｄは、貫通孔Ｃ１の内周面に軸方向に凸設されるネジ山であり、係止部３２ａと被係止部Ｄとが螺合可能に構成されることも可能である。
【符号の説明】
【００５２】
１…気体透過部材、２…気体透過シート、２ａ…選択性透過シート、２ｂ…非選択性透過シート、３…保持体、３ａ…気体流通孔、３ｂ…流入口、３ｃ…排出口、３１…大径部、３２…中径部、３２ａ…係止部、３２ｂ…中径部の下端面中央部、３３…下方部、３３ａ…下方部の下端面中央部、３４…下端部、Ａ１…通気性容器、Ａ…容器本体、Ｂ…本体部、Ｃ…容器蓋体、Ｃ１…貫通孔、Ｄ…被係止部、Ｐ…封止体、Ｓ…内部空間
【図１】
2015167907.tif 000003
【図２】
2015167907.tif 000004